(57)【要約】【課題】天板上の作業平面が狭められることを抑えることができ、使用状態に合わせて位置変更が容易に行えることで使い勝手が良好となる。【解決手段】天板４０の上面に固定される天板上収納体５０と、天板上収納体５０によって支持され側面７２ａを左右方向に向けて配設される平板状の仕切りパネル７２と、を備え、天板上収納体５０は、仕切りパネル７２の少なくとも左右一方の側面の下端全域に対して側方に張り出した状態で固定され、上部にトレー７４を備えたベース部７３が設けられた構成のデスクトップパネル構造を提供する。【選択図】図５
2019083923.tif 000002
【特許請求の範囲】
【請求項１】
天板の上面に固定される天板上収納体と、
前記天板上収納体によって支持され平面を左右方向に向けて配設される平板状の仕切りパネルと、を備え、
前記天板上収納体は、前記仕切りパネルの少なくとも左右一方の側面の下端全域に対して側方に張り出した状態で固定され、上部に物品収容部を備えたベース部が設けられていることを特徴とするデスクトップパネル構造。
【請求項２】
前記天板上収納体には、前記ベース部に対して上方から装着されるトレー部が設けられていることを特徴とする請求項１に記載のデスクトップパネル構造。
【請求項３】
前記ベース部の左右両側には、前記トレー部との間に空間部を形成する側壁が設けられ、
前記空間部内に配置される固定手段によって前記側壁と前記仕切りパネルとが連結されていることを特徴とする請求項２に記載のデスクトップパネル構造。
【請求項４】
前記ベース部には、前記天板の後端に係止可能な係止フックが設けられていることを特徴とする請求項１乃至３のいずれか１項に記載のデスクトップパネル構造。
【発明の詳細な説明】
【技術分野】
【０００１】
本発明は、デスクトップパネル構造に関する。
【背景技術】
【０００２】
従来、オフィスや公共施設等の執務空間においては、執務者に作業平面を提供するために天板付什器が設置されているのが一般的となっている。こうした天板付什器の構造として、大型の天板を採用することによって天板面を複数の執務者が共有できるものとするケースがあり、什器全体としてのコストを安く抑えることが可能なものとなっている。
【０００３】
このような構造として、例えば特許文献１に示されるように、支持構造体の左右方向の中央でデスクトップパネルを挟持することによって天板上にデスクトップパネルを自立可能とし、簡易的かつ安価なデスクトップパネル構造のものが知られている。ところが、支持構造体の左右中央でデスクトップパネルを挟持する構造であり、デスクトップパネルの左右両方向に向けて支持構造体が張り出した状態で天板上に配設されるため、天板上において区画された左右両側のエリアの作業平面が支持構造体によって狭められるという欠点があった。
【０００４】
そこで、使用者が作業平面としての使用が少ない後方位置で、デスクトップパネルに設けられた金具を用いて天板を把持することによって取り付ける方法が、例えば特許文献２に開示されている。この構造によれば、作業平面が狭められるエリアを最小限に抑えることができる。
【先行技術文献】
【特許文献】
【０００５】
【特許文献１】特開２０１７−０９５１２７号公報
【特許文献２】特許第５１４２１４７号公報
【発明の概要】
【発明が解決しようとする課題】
【０００６】
しかしながら、特許文献２に記載される従来のデスクトップパネル構造では、デスクトップパネルによる仕切り位置を左右に変更したい場合に、後部に配置された天板の把持部を解除させる必要があり、手間がかかるうえ作業性が悪いという問題があった。
【０００７】
本発明は、上述する問題点に鑑みてなされたもので、天板上の作業平面が狭められることを抑えることができ、使用状態に合わせて位置変更が容易に行えることで使い勝手が良好となるデスクトップパネル構造を提供することを目的とする。
【課題を解決するための手段】
【０００８】
上記目的を達成するため、本発明に係るデスクトップパネル構造は、天板の上面に固定される天板上収納体と、前記天板上収納体によって支持され平面を左右方向に向けて配設される平板状の仕切りパネルと、を備え、前記天板上収納体は、前記仕切りパネルの少なくとも左右一方の側面の下端全域に対して側方に張り出した状態で固定され、上部に物品収容部を備えたベース部が設けられていることを特徴としている。
【０００９】
本発明では、仕切りパネルの左右いずれか一方の片側のみに天板上収納体のベース部が張り出した状態で固定されるので、使用者に使用方法を選択する自由度を与えることができ、使用者の作業平面が狭められることを最小限に抑えることができる。
また、天板上収納体に物品収容部が設けられ、物品収容の機能が付与されているので、使用者の使い勝手を良好なものとすることができる。
【００１０】
また、本発明に係るデスクトップパネル構造は、前記天板上収納体には、前記ベース部に対して上方から装着されるトレー部が設けられていることを特徴としてもよい。
【００１１】
この場合には、ベース部とトレー部とが別体で構成されているので、トレー部に物品を載置するために好適な複雑な構造を採用することも可能となり、使用者の使い勝手を良好なものとすることができる。
【００１２】
また、本発明に係るデスクトップパネル構造は、前記ベース部の左右両側には、前記トレー部との間に空間部を形成する側壁が設けられ、前記空間部内に配置される固定手段によって前記側壁と前記仕切りパネルとが連結されていることを特徴としてもよい。
【００１３】
このような構成とすることで、ベース部とトレー部とによって囲まれる空間部に固定手段が配置されることから、その固定手段が天板上収納体の外部に露呈することがなく、デスクトップパネルとしての体裁を良好に収めることができる。
【００１４】
また、本発明に係るデスクトップパネル構造は、前記ベース部には、前記天板の後端に係止可能な係止フックが設けられていることが好ましい。
【００１５】
本発明では、ベース部の係止フックを天板の後端に係止させるといった簡単な取付けにより、ベース部を天板上に配置することができる。そのため、仕切りパネルに対する天板上収納体の位置を変更する作業を容易に行うことができる。
【発明の効果】
【００１６】
本発明のデスクトップパネル構造によれば、天板上の作業平面が狭められることを抑えることができ、使用状態に合わせて位置変更が容易に行えることで使い勝手が良好となる。
【図面の簡単な説明】
【００１７】
【図１】本発明の実施の形態による什器を斜め正面から見た斜視図である。
【図２】図１に示す什器を前方から見た正面図である。
【図３】図１に示す什器を上方から見た平面図である。
【図４】支柱に支持脚体と天板を取り付ける状態で一部分解した斜視図である。
【図５】物品収納什器を天板下の収容空間に収容する状態を示す斜視図である。
【図６】デスクトップパネル部材の天板上収納体を幅方向から見た側面図である。
【図７】図６に示す天板上収納体を上方から見た平面図である。
【図８】天板上収納体のベース部の前端部分を示す斜視図である。
【図９】天板上収納体のトレー部を幅方向から見た側面図である。
【図１０】トレー部の前端部分を示す斜視図である。
【発明を実施するための形態】
【００１８】
以下、本発明の実施形態によるデスクトップパネル構造について、図面に基づいて説明する。
【００１９】
図１乃至図３に示す本実施形態によるデスクトップパネル構造は、執務空間に設けられるデスク装置であって、複数のデスクを横方向に連続的に配置することを可能とした天板付什器１に備えられている。
【００２０】
天板付什器１は、互いに左右に離間して床面Ｆ上から上方に向かって立設された複数の支柱１０と、支柱１０に対して設けられ、支柱１０の前面１０ａから前方に延びる支持部（後述する上材２３、２３Ａ）を有し、下端が床面Ｆに接床する支持脚体２０と、左右に隣り合う支柱１０、１０間に架設され、支柱１０、１０間の空間を閉塞する塞ぎパネル３０と、支持脚体２０、２０間に架設され、前記支持部に支持される天板４０と、天板４０の下方の空間部内に後方の一部もしくは、全体を収容可能とされた物品収納什器５０と、を備えている。
ここで、支持脚体２０及び天板４０は、本発明の第一の什器に相当している。
【００２１】
また、天板４０よりも下方位置において、隣り合う支柱１０、１０間に架設する下部フレーム６０が設けられている。
さらに、天板４０上には、例えばデスクを複数の人で使用できるように所定の間隔で区画されている場合において、その区画毎にデスクトップパネル部材７０が設けられている。
さらにまた、塞ぎパネル３０の前面には、支柱１０における天板４０より上方の適宜な位置で収納棚８０が取り付け可能となっている。
【００２２】
ここで、本実施の形態では、床面Ｆに対して平行な一方向に配置される一対の支柱１０、１０の離間方向を幅方向Ｄｈといい、上方から見た平面視で幅方向Ｄｈに直交する方向を前後方向Ｄｆという。なお、幅方向Ｄｈのことを左右方向ということもある。また、天板付什器１の前後方向Ｄｆにおいて、天板付什器１に向かう不図示の椅子側を前方、前側といい、その反対側（椅子から見て天板付什器１側）を後方、後側という。
【００２３】
支柱１０は、図４に示すように、上下方向Ｄｖに延びる四角形筒状に形成されている。支柱１０の前面１０ａ及び後面１０ｂには、上下方向Ｄｖに所定の間隔をあけて複数の係止孔１１、１１、…が設けられている。これら係止孔１１は、幅方向Ｄｈの中央に縦長のスリット状に穿設されている。係止孔１１には、図１に示す支持脚体２０や収納棚８０のそれぞれの係止部（後述する係止フック）を係止させることによって支持脚体２０や収納棚８０が取付け可能となっている。
【００２４】
支持脚体２０は、図４に示すように、床面Ｆに設置されるとともに、支柱１０の前面１０ａに対して脚体取付ブラケット２０Ｃを用いて取付け可能に設けられている。
支持脚体２０は、前縦材、後縦材２２、上材２３及び下材によって四角形状に枠組みされている。
後縦材２２の後面２２ａにおける幅方向Ｄｈの一端側には、上下方向Ｄｖに所定の間隔をあけて複数の上向きの係止フック２２１が設けられている。
【００２５】
上材２３は、前後方向Ｄｆに延び上側が開口するコの字状に形成されている。上材２３の後端は、後縦材２２の上端に載置された状態で固定されている。上材２３の後端部分は、両側板が切り取られた形状となっている。一方の側板には、前後方向Ｄｆの一部の上端から幅方向Ｄｈの外側に向けて延びる突出板２３３が設けられている。この突出板２３３には、天板４０が載置される。上材２３の底板２３２には、後縦材２２に載置される部分より前側の位置に、脚体取付ブラケット２０Ｃを取り付けるためのボルト用のボルト穴２３ａが形成されている。
【００２６】
脚体取付ブラケット２０Ｃは、図４に示すように、前後方向Ｄｆに延びるとともに、縦リブ２０１と横リブ２０２とによってＬ字状に形成されている。縦リブ２０１の後端には、上下に間隔をあけて一対の下向きの係止フック２０３が設けられている。各係止フック２０３は、それぞれ上述した支柱１０の前面１０ａに形成される係止孔１１に進入した状態で下向きに係止される。横リブ２０２には、この横リブ２０２を支持脚体２０の上材２３の底板２３２上に載置させ、係止フック２０３を支柱１０の係止孔１１に係止させた状態で、上材２３のボルト穴２３ａに同軸上に対応する位置に溶接ナット２３４が形成されている。
【００２７】
支持脚体２０を支柱１０に取り付ける際には、支持脚体２０の後縦材２２の係止フック２２１を支柱１０の係止孔１１に係止させた後、脚体取付ブラケット２０Ｃを支持脚体２０上に載置させて係止フック２０３を支柱１０の係止孔１１に係止させる。そして、この状態で支持脚体２０の上材２３のボルト穴２３ａと脚体取付ブラケット２０Ｃの前記溶接ナット２３４に下方からボルト（図示省略）を挿通させて締め込むことで双方を固定する。これにより、支持脚体２０が支柱１０に対して固定される。
【００２８】
縦リブ２０１の上端における後端側の位置には、幅方向Ｄｈの外側に向けて延びる突片２０４が設けられている。この突片２０４には、前後方向Ｄｆに延びる長穴２０４ａが形成されている。この長穴２０４ａには、天板４０の補助部材として設けられる天板塞ぎ材４１の係止片４１１（後述する）が上方から差し込まれることで、天板塞ぎ材４１が取付け可能となっている。
【００２９】
天板４０は、支柱１０の前方に配置され、平面が上方を向くように配設された平板状をなし、隣り合う支持脚体２０、２０間を架設し、支持脚体２０の上端に載置した状態で下方から図示しないボルト等により固定されている。つまり、支持脚体２０によって天板４０の下方空間が仕切られるので、１つの天板４０毎に一人の執務スペースとすることができる。また、天板４０の幅方向Ｄｈの寸法を大きくし、１つの天板４０を複数人で使用する執務スペースとしてもよい。
【００３０】
天板４０は、図４に示すように、後端側で塞ぎパネル３０との間に間隔をあけて配置され、その開口部Ｓ１には幅方向Ｄｈに延びる天板塞ぎ材４１が設けられている。この天板塞ぎ材４１によって閉塞される開口部Ｓ１は、例えばＯＡ機器等の配線（図示省略）の取り出し口として利用が可能である。
【００３１】
図１及び図５に示すように、デスクトップパネル部材７０（デスクトップパネル構造）は、天板４０の上面４０ｂに固定される天板上収納７１と、天板上収納体７１によって支持され平面（側面７２ａ）を幅方向Ｄｈに向けて配設される平板状の仕切りパネル７２と、を備えている。
仕切りパネル７２は、隣り合う天板４０、４０同士の境界近傍を仕切るように、天板４０における前後方向Ｄｆのほぼ全体にわたって配置されている。
【００３２】
天板上収納体７１は、仕切りパネル７２の左右一方（図１及び図５では前方から見て仕切りパネル７２の左側）の側面７２ａの下端全域に対して側方に張り出した状態で固定されている。図６及び図７に示すように、天板上収納体７１は、天板４０に係止されるベース部７３と、ベース部７３に対して上方から装着されるトレー７４（物品収容部、トレー部）と、を備えている。
【００３３】
ベース部７３は、作業平面をなす天板４０に対する載置面７３ａを有し、前後方向Ｄｆに延びる長尺の底壁７３１と、底壁７３１の短手方向の両端から上方に向けて立設された側壁７３２、７３２と、対向する側壁７３２、７３２同士を連結する一対の連結壁７３３、７３３と、底壁７３１の後端に設けられ天板４０の後端部４０ｃ（図６参照）に係止される鍵状の係止フック７３４と、を有している。
【００３４】
側壁７３２は、前端及び後端の上部角部が滑らかに湾曲した曲線を形成している。
図８に示すように、一対の連結壁７３３、７３３は、底壁７３１の前端７３ｂ寄りと後端７３ｃ寄りの位置に設けられている。
一方の側壁７３２における連結壁７３３の外側の位置には、仕切りパネル７２の側面７２ａに対して取付ネジ７５（固定手段）によって固定するための挿通穴７３５が形成されている。この挿通穴７３５の位置は、後述するトレー７４のカバー部７４２によって囲まれた空間Ｓ５内とされる。
【００３５】
係止フック７３４は、図６及び図７に示すように、底壁７３１の後端７３ｃから後方に突出し、その突出端から下方に折り曲げられ、さらにその下端から前方に向けて折り曲げられ、前方に開口する凹部７３４ａを形成している。この凹部７３４ａが天板４０の後端部４０ｂに対して後方側から外嵌させた状態で、ベース部７３が天板４０上に取り付けられている。
そして、係止フック７３４のうち天板４０の下面４０ａ重なる部分において、ビスによって天板４０の下面４０ａに固定するようにしてもよい。
【００３６】
トレー７４は、図９及び図１０に示すように、上方が開口され物品が収容されるトレー本体７４１と、トレー本体７４１の上前端７４１ａ及び上後端７４１ｂに設けられたカバー部７４２と、を備えている。
トレー本体７４１の前後方向の長さ寸法（すなわちトレー前面７４１ｃからトレー後面７４１ｄまでの長さ）は、ベース部７３の連結壁７３３、７３３（図６及び図７参照）間の離間に一致している。つまり、トレー７４は、トレー本体７４１がベース部７３の連結壁７３３、７３３間に嵌合された状態でベース部７３に装着可能となっている。
【００３７】
各カバー部７４２は、それぞれ上前端７４１ａ及び上後端７４１ｂから前後方向Ｄｆでトレー本体７４１から離れる方向に向かうに従い漸次下方に向けて湾曲し、その下端にはトレー本体７４１側に向けて折り曲げられた固定片７４３が設けられている。図６に示すように、トレー７４がベース部７３に装着された状態で、固定片７４３がベース部７３の底壁７３１上に当接し、このときカバー部７４２、トレー本体７４１、及びベース部７３の底壁７３１によって囲まれた空間Ｓ５が形成されている。
【００３８】
次に、上述したデスクトップパネル部材７０の作用について、図面に基づいて詳細に説明する。
本実施の形態では、図５及び図６に示すように、仕切りパネル７２の左右いずれか一方の片側のみに天板上収納体７１のベース部７３が張り出した状態で固定されるので、使用者に使用方法を選択する自由度を与えることができ、使用者の作業平面が狭められることを最小限に抑えることができる。
また、天板上収納体７１にトレー７４が設けられ、物品収容の機能が付与されているので、使用者の使い勝手を良好なものとすることができる。
【００３９】
また、本実施の形態では、ベース部７３とトレー７４とが別体で構成されているので、トレー７４に物品を載置するために好適な複雑な構造を採用することも可能となり、使用者の使い勝手を良好なものとすることができる。
【００４０】
さらに、本実施の形態のデスクトップパネル部材７０では、図６及び図８に示すように、ベース部７３とトレー７４とによって囲まれる空間部（空間Ｓ５）に取付ネジ７５が配置されることから、その取付ネジ７５が天板上収納体５０の外部に露呈することがなく、デスクトップパネルとしての体裁を良好に収めることができる。
【００４１】
また、本実施の形態では、ベース部７３の係止フック７３４を天板４０の後端部４０ｃに係止させるといった簡単な取付けにより、ベース部７３を天板４０上に配置することができる。そのため、仕切りパネル７２に対する天板上収納体５０の位置を変更する作業を容易に行うことができる。
【００４２】
上述のように本実施の形態によるデスクトップパネル部材７０では、天板４０上の作業平面が狭められることを抑えることができ、使用状態に合わせて位置変更が容易に行えることで使い勝手が良好となる。
【００４３】
以上、本発明によるデスクトップパネル構造の実施の形態について説明したが、本発明は上記の実施の形態に限定されるものではなく、その趣旨を逸脱しない範囲で適宜変更可能である。
【００４４】
例えば、本実施の形態では、天板上収納体５０としてベース部７３に対して上方から装着されるトレー７４を設けた構成、すなわちベース部７３とトレー７４とが別体で設けられているが、一体とされていてもよい。要は、ベース部の上部に物品収容部を備えた構成であればよいのである。
【００４５】
また、本実施の形態では、ベース部の左右両側にトレー７４のカバー部７４２との間に空間Ｓ５を形成する側壁７３２が設けられ、その空間Ｓ５内に仕切りパネル７２に固定するための固定手段を配置した構成としているが、このような構成であることに限定されることはなく、ベース部７３とトレー７４との間に空間Ｓ５が設けられない構成であってもよい。また、ベース部７３における固定手段の位置も上述した実施の形態に限定されることはない。
【００４６】
さらに、本実施の形態では、ベース部７３に天板４０の後端４０ｃに係止可能な係止フック７３４が設けられた構成となっているが、このような係止フックによる天板４０への係止手段であることに制限されることはない。
【００４７】
また、支柱１０、支持脚部２０、塞ぎパネル３０、天板４０、下部フレーム６０、物品収納什器５０、収納棚８０等の形状、寸法、数量等の構成については、本実施の形態に限定されることはなく、適宜設定することができる。
【００４８】
その他、本発明の趣旨を逸脱しない範囲で、上記した実施の形態における構成要素を周知の構成要素に置き換えることは適宜可能である。
【符号の説明】
【００４９】
１  天板付什器
１０  支柱
１０ａ  前面
２０  支持脚体
２０Ｃ  脚体取付ブラケット
２３  上材
２４  下材
３０  塞ぎパネル
４０  天板
５０  物品収納什器
５１  側部パネル
７０  デスクトップパネル部材（デスクトップパネル構造）
７１  天板上収納体
７２  仕切りパネル
７３  ベース部
７３ｃ  後端
７４  トレー（物品収容部）
７５  取付ネジ（固定手段）
８０  収納棚
７３４  係止フック
７４１  トレー本体
７４２  カバー部
Ｄｈ  幅方向
Ｄｆ  前後方向
Ｄｖ  上下方向
Ｓ５  空間
Ｆ  床面
【図１】
2019083923.tif 000003
【図２】
2019083923.tif 000004
【図３】
2019083923.tif 000005
【図４】
2019083923.tif 000006
【図５】
2019083923.tif 000007
【図６】
2019083923.tif 000008
【図７】
2019083923.tif 000009
【図８】
2019083923.tif 000010
【図９】
2019083923.tif 000011
【図１０】
2019083923.tif 000012